(57)【特許請求の範囲】
【請求項１】
浴室内に浴用ミストを噴出するミスト噴出装置であって、
同一の軸心の長手方向に沿って並び且つその軸心周りで各別に回転調整自在な複数の筒状の可動枠の夫々に、複数のミスト噴出用のノズルが備えられ、
複数の前記可動枠の隣接するもの同士が、前記軸心周りで相対回転自在に接続され、前記軸心方向に並ぶ複数の可動枠のうちの両端側に位置するものが、浴室の壁面に取付けた固定側支持部に対して、前記軸心周りで回転自在に支持され、
ミスト噴出を断続する開閉弁に対する操作部としての運転スイッチが、複数の前記可動枠のうちのいずれかに備えられているミスト噴出装置。
【請求項２】
複数の前記可動枠のうちの少なくとも一つの可動枠に備えられている複数のノズルのうちの少なくとも一部が、ミスト噴出方向の変更のために向き変更調整自在である請求項１記載のミスト噴出装置。
【請求項３】
複数の前記可動枠のうちの少なくとも一つの可動枠に備えられる複数のノズルが、前記可動枠の周方向に沿って複数並べるように設けられ、それらノズルのミスト噴出方向が、前記軸心からの放射方向である請求項１又は２記載のミスト噴出装置。
【請求項４】
複数の前記可動枠のうちの少なくとも一つの可動枠に備えられる複数のノズルが、前記軸心方向に沿って列状に並べられている請求項１又は２記載のミスト噴出装置。
【請求項５】
複数の前記可動枠のうちの少なくとも一つの可動枠に備えられる複数のノズルが、前記軸心方向に沿う列状で且つ前記周方向に沿って複数列となるように並べられている請求項４記載のミスト噴出装置。
【請求項６】
前記複数の可動枠のうちの一端側の可動枠に備えられる湯水供給管が、前記固定側支持部に備えられた湯水供給管に、前記軸心周りで相対回転自在に接続され、前記複数の可動枠のうちの一端側の可動枠以外の可動枠に備えられた湯水供給管が、隣接する可動枠に備えられた湯水供給管に、前記軸心周りで相対回転自在に接続されている請求項１〜５のいずれか１項に記載のミスト噴出装置。
【発明の詳細な説明】
【技術分野】
【０００１】
本発明は、浴室内に浴用ミストを噴出するミスト噴出装置に関する。
【背景技術】
【０００２】
かかるミスト噴出装置は、浴室内に浴用ミストを噴出して、浴室内にミストサウナ雰囲気を形成するものである。
【０００３】
このようなミスト噴出装置において、従来は、１本のポールをその長手方向に沿う軸心周りに回転調整自在に設け、そのポールに、複数のミスト噴出用のノズルを夫々のノズルの向きを固定した状態でポールの長手方向に沿って列状に備えていた。
そして、前記ポールを回転調整することにより、浴用ミストの噴出方向を変更調整するように構成していた（例えば、特許文献１参照。）。
【先行技術文献】
【特許文献】
【０００４】
【特許文献１】特開平４−１７４６６７号公報
【発明の概要】
【発明が解決しようとする課題】
【０００５】
このようなミスト噴出装置を用いて浴用ミストを浴びるときは、体の略全体にわたって浴用ミストが当たるように、浴用ミストの噴出方向を調整することになり、従来のミスト噴出装置では、ポールを回転調整することにより、浴用ミストが体の略全体に当たるように浴用ミストの噴出方向を調整することになる。
【０００６】
ところで、人によっては、体の一部分に対する浴用ミストの当たり状態を体の他の部分に対する浴用ミストの当たり状態と異ならせたいという要求を持つ人がいる。例えば、顔全体に浴用ミストが当たると不快に感じる人がおり、そのような人は、顔以外の部分には浴用ミストを十分に当てながらも、顔には浴用ミストをなるべく当てないようにしたいという要求を持つ。
しかしながら、従来のミスト噴出装置では、ポールを回転調整すると、複数のノズルの向きが一体的に変更調整されるので、前述のような人の要求を満足させることができず、使い勝手が悪いものであった。
【０００７】
又、入浴前に浴室内を浴用ミストの噴出により予備暖房する場合があり、そのように浴室内を予備暖房するときには、洗い場の床面を略全面にわたって暖めるのが好ましいものである。
つまり、入浴者は通常は洗い場にて浴用ミストを浴びることになるので、洗い場の床面を略全面にわたって暖めることにより、快適に浴用ミストを浴びることができるものとなる。
しかしながら、従来のミスト噴出装置では、ポールの周方向に沿う方向での浴用ミストの噴出範囲が狭いので、浴室内を予備暖房するときに、浴室の洗い場の床面を略全面にわたって暖め難く、使い勝手が悪かった。
ちなみに、ノズル夫々の浴用ミストの噴出範囲を広くするにも限度があるので、従来のミスト噴出装置では、ポールの周方向に沿う方向での浴用ミストの噴出範囲が狭くなるのである。
【０００８】
本発明は、かかる実情に鑑みてなされたものであり、その目的は、設置性及び操作性に優れながらも、使い勝手を向上し得るミスト噴出装置を提供することにある。
【課題を解決するための手段】
【０００９】
本発明のミスト噴出装置は、室内に浴用ミストを噴出するものであって、
第１特徴構成は、同一の軸心の長手方向に沿って並び且つその軸心周りで各別に回転調整自在な複数の筒状の可動枠の夫々に、複数のミスト噴出用のノズルが備えられ、
複数の前記可動枠の隣接するもの同士が、前記軸心周りで相対回転自在に接続され、前記軸心方向に並ぶ複数の可動枠のうちの両端側に位置するものが、固定側支持部に対して、前記軸心周りで回転自在に支持され、
ミスト噴出を断続する開閉弁に対する操作部としての運転スイッチが、複数の前記可動枠のうちのいずれかに備えられている点を特徴とする。
【００１０】
即ち、複数の可動枠を同一の軸心の長手方向に沿って並べて設けることにより、ミスト噴出装置を長尺状に構成することができるので、その長尺状のミスト噴出装置を、例えば、浴室の壁面における鏡の横や角部、あるいは、壁面と天井との角部等、狭いスペースにも設置することができ、設置性を向上することができる。
【００１１】
そして、同一の軸心の長手方向に沿って並ぶ複数の可動枠がその軸心周りで各別に回転調整自在であるので、浴用ミストを浴びるときには、浴用ミストが体の略全体にわたって当たるように、あるいは、体の所望の部分には浴用ミストがなるべく当たらず、それ以外の部分には浴用ミストが十分に当たるように、複数の可動枠夫々からの浴用ミストの噴出方向を調整することが可能となって、好みの浴用ミストの浴び状態にて浴用ミストを浴びることが可能となる。
又、浴室内を予備暖房するときには、洗い場の床面における互いに異なる部分に向けて浴用ミストを噴出するように、複数の可動枠夫々からの浴用ミストの噴出方向を調整することにより、洗い場の床面を略全面にわたって暖めることが可能となる。
【００１２】
しかも、複数の可動枠の夫々に、複数のミスト噴出用のノズルを備えて、各可動枠からの浴用ミストの噴出範囲を広くしているので、好みの浴用ミストの浴び状態にて浴用ミストを浴びるようにしたり、洗い場の床面における互いに異なる部分に向けて浴用ミストを噴出するようにするために、複数の可動枠を回転調整するに当たって、その回転調整する可動枠の数を少なくすることができるものとなり、操作性を向上することができる。
ちなみに、浴室に対して固定的に設置されるノズル支持部に複数のノズルを各別に向き変更調整自在に設けて、ノズルを１個ずつ向き変更することにより、好みの浴用ミストの浴び状態にて浴用ミストを浴びるようにしたり、洗い場の床面における互いに異なる部分に向けて浴用ミストを噴出するようにすることが想定されるが、この場合は、ノズルを１個ずつ向き変更する必要があるので、操作性が悪い。
従って、設置性及び操作性に優れながらも、使い勝手を向上し得るミスト噴出装置を提供することができるようになった。
【００１４】
又、第１特徴構成によれば、一対の固定側支持部により、複数の可動枠を、前記軸心の長手方向（可動枠の回転軸心の軸心方向に相当する）に沿って並び且つその軸心周りで各別に回転調整自在な状態に支持することができるので、複数の可動枠の支持構成を簡略化することができる。
ちなみに、複数の可動枠を、相互に接続せずに、前記軸心周りで回転調整自在なように各別に固定側支持部にて支持した状態で、前記軸心方向に沿って並ぶように設ける場合が想定されるが、この場合は、複数の可動枠を支持するために、多くの固定側支持部を設ける必要があり、複数の可動枠の支持構成が複雑になる。
従って、複数の可動枠の支持構成を簡略化することができるので、ミスト噴出装置を低廉化することができるようになった。
さらに、第１特徴構成によれば、複数の可動枠を浴室の壁面等に設置するのと同時に、ミスト噴出を断続する開閉弁に対する操作部も設置されることになるので、ミスト噴出装置の設置作業を簡略化することができる。
又、浴用ミストの噴出方向又は噴出範囲を変更調整すべく複数の可動枠の全て又は一部を回転調整するのに合わせて、操作部を操作して浴用ミストを噴出させることができる、あるいは、操作部を操作して浴用ミストを噴出させるのに合わせて、浴用ミストの噴出方向又は噴出範囲を変更調整すべく複数の可動枠の全て又は一部を回転調整することができるので、ミスト噴出装置の操作性を向上することができる。
要するに、ミスト噴出装置の設置性及び操作性をより一層向上することができるようになった。
【００１５】
第２特徴構成は、上記第１特徴構成に加えて、
複数の前記可動枠のうちの少なくとも一つの可動枠に備えられている複数のノズルのうちの少なくとも一部が、ミスト噴出方向の変更のために向き変更調整自在である点を特徴とする。
【００１６】
即ち、向き変更調整自在なノズルを備えた可動枠を所定の回転位相に位置させた状態で、ノズルの向きを変更調整することにより、ミスト噴出方向を更に変更調整することができる。
つまり、可動枠を回転調整することにより、その可動枠からの浴用ミストの噴出方向を変更調整することができるに加えて、ノズルの向きを変更調整することにより、その可動枠からの浴用ミストの噴出方向を変更調整することができるので、可動枠からの浴用ミストの噴出方向の変更範囲をより一層大きくすることができ、又、可動枠からの浴用ミストの噴出方向をより一層細かく変更調整することができる。
【００１７】
そして、可動枠からの浴用ミストの噴出方向をより一層細かく変更調整することができることにより、体に対する浴用ミストの噴出方向をより一層細かく変更調整することができるようになって、より一層好ましい浴び状態にて浴用ミストを浴びることが可能となる。
又、可動枠からの浴用ミストの噴出方向の変更範囲をより一層大きくすることができることにより、浴室内を予備暖房するときに、複数の可動枠により浴用ミストをより一層広い範囲にわたって噴出することができるので、洗い場の床面をより一層広い範囲にわたって暖めることが可能となる。
従って、使い勝手をより一層向上することができるようになった。
【００１８】
第３特徴構成は、上記第１又は第２特徴構成に加えて、
複数の前記可動枠のうちの少なくとも一つの可動枠に備えられる複数のノズルが、前記可動枠の周方向に沿って複数並べるように設けられ、それらノズルのミスト噴出方向が、前記軸心からの放射方向である点を特徴とする。
【００１９】
即ち、複数の可動枠のうちの少なくとも一つの可動枠に備えられる複数のノズルから、浴用ミストが可動枠の周方向に沿って広がる状態の放射状に噴出される。
そして、複数の可動枠のうちの少なくとも一つの可動枠から、浴用ミストが可動枠の周方向に沿って広がる状態の放射状に噴出されることにより、浴用ミストに切れ目が生じるのを抑制しながら、可動枠相互間の回転位相のずれ量を大きく変更調整するように、可動枠を大きく回転調整することが可能となる。
従って、浴用ミストに切れ目が生じるのを抑制しながら、可動枠の周方向に沿う方向でのミスト噴出範囲をより一層広くすることができるようになった。
【００２０】
第４特徴構成は、上記第１又は第２特徴構成に加えて、
複数の前記可動枠のうちの少なくとも一つの可動枠に備えられる複数のノズルが、前記軸心方向に沿って列状に並べられている点を特徴とする。
【００２１】
即ち、複数の可動枠のうちの少なくとも一つの可動枠に、複数のノズルが可動枠の回転軸心の軸心方向に沿って列状に並べられて備えられているので、それら複数のノズルから、浴用ミストに切れ目が生じるのを抑制しながら、可動枠の回転軸心の軸心方向に沿う方向の広い範囲にわたって浴用ミストが噴出される。
従って、浴用ミストに切れ目が生じるのを抑制しながら、可動枠の回転軸心の軸心方向に沿う方向でのミスト噴出範囲をより一層広くすることができるようになった。
【００２２】
第５特徴構成は、上記第４特徴構成に加えて、
複数の前記可動枠のうちの少なくとも一つの可動枠に備えられる複数のノズルが、前記軸心方向に沿う列状で且つ前記可動枠の周方向に沿って複数列となるように並べられている点を特徴とする。
【００２３】
即ち、複数の可動枠のうちの少なくとも一つの可動枠に、複数のノズルが可動枠の回転軸心の軸心方向に沿う列状で且つ可動枠の周方向に沿って複数列となるように並べられて備えられているので、それら複数のノズルから、浴用ミストが、可動枠の周方向に沿って広がる状態の放射状にて、可動枠の回転軸心の軸心方向に沿う方向の広い範囲にわたって噴出される。
そして、複数の可動枠のうちの少なくとも一つの可動枠から、浴用ミストが可動枠の周方向に沿って広がる状態の放射状に噴出されることにより、浴用ミストに切れ目が生じるのを抑制しながら、可動枠相互間の回転位相のずれ量を大きく変更調整するように、可動枠を大きく回転調整することが可能となる。
従って、浴用ミストに切れ目が生じるのを抑制しながら、可動枠の周方向に沿う方向と可動枠の回転軸心の軸心方向に沿う方向との両方向でのミスト噴出範囲をより一層広くすることができるようになった。
【００２４】
第６特徴構成は、上記第１〜第５特徴構成のいずれかに加えて、
前記複数の可動枠のうちの一端側の可動枠に備えられる湯水供給管が、前記固定側支持部に備えられた湯水供給管に、前記軸心周りで相対回転自在に接続され、前記複数の可動枠のうちの一端側の可動枠以外の可動枠に備えられた湯水供給管が、隣接する可動枠に備えられた湯水供給管に、前記軸心周りで相対回転自在に接続されている点を特徴とする。
【００２５】
即ち、固定側支持部に備えられた湯水供給管と、複数の可動枠夫々に備えられた湯水供給管が一連に連通しているので、固定側支持部に備えられた湯水供給管に湯水を供給すると、複数の可動枠夫々に備えられた湯水供給管を湯水が通流して、複数の可動枠夫々の複数のノズルから浴用ミストが噴出される。
つまり、固定側支持部に備えられた湯水供給管にのみ、湯水供給用の管路を接続するだけの簡単な配管構成で、複数の可動枠夫々の複数のノズルから浴用ミストが噴出されるようにすることができるのである。
【００２６】
そして、複数の可動枠のうちの一端側の可動枠を回転させると、その一端側の可動枠に備えられている湯水供給管も一端側の可動枠と一緒に回転して、固定側支持部に備えられた湯水供給管やその一端側の可動枠に隣接する可動枠に備えられた湯水供給管に対して相対回転する。
又、複数の可動枠のうちの前記一端側の可動枠以外の可動枠を回転させると、その可動枠に備えられている湯水供給管もその可動枠と一緒に回転して、その可動枠の両側に隣接する可動枠夫々に備えられた湯水供給管に対して相対回転する。
つまり、複数の可動枠夫々には、夫々に備えた複数のノズルに浴用ミスト用の湯水を供給するための湯水供給管を設けることになるが、浴用ミストの噴出方向の変更調整のために可動枠を回転させるのに伴って、その可動枠に備えられた湯水供給管も可動枠と一緒に回転させるようにすることにより、その湯水供給管が捩れるのを回避することができるので、湯水供給管の劣化を防止して、ミスト噴出装置の耐久性を向上することができるのである。
要するに、ミスト噴出装置を設置する際の配管構成の簡略化、及び、ミスト噴出装置の耐久性の向上を図ることができるようになった。
【図面の簡単な説明】
【００３１】
【図１】第１実施形態に係るミスト噴出装置の斜視図
【図２】第１実施形態に係るミスト噴出装置の縦断左側面展開図
【図３】第１実施形態に係るミスト噴出装置を示す図であり、（イ）は可動枠の平面図、（ロ）はミスト噴出装置の横断平面図
【図４】ミスト噴出装置及び浴室の付帯設備を示すブロック図
【図５】第１実施形態に係るミスト噴出装置の設置状態を示す図
【図６】第１実施形態に係るミスト噴出装置の設置状態及びミスト噴出形態を示す平面図
【図７】第１実施形態に係るミスト噴出装置の設置状態及びミスト噴出形態を示す側面図
【図８】参考の実施形態に係るミスト噴出装置の斜視図
【図９】参考の実施形態に係るミスト噴出装置の縦断左側面展開図
【図１０】第２実施形態に係るミスト噴出装置の正面図
【図１１】第２実施形態に係るミスト噴出装置の設置状態及びミスト噴出形態を示す側面図
【図１２】別実施形態に係るミスト噴出装置の正面図
【発明を実施するための形態】
【００３２】
〔第１実施形態〕
以下、図面に基づいて、本発明の第１実施形態を説明する。
図５に示すように、ミスト噴出装置Ｍは、一対の固定側支持部１を用いて浴室内の壁面Ｗに取り付けて使用するものであり、図１及び図２に示すように、同一の軸心Ｐの長手方向（以下、軸心方向と記載する場合がある）に沿って並び且つその軸心周りで各別に回転調整自在な複数の可動枠２の夫々に、複数のミスト噴出用のノズル３を備えて、それら複数の可動枠２を、前記一対の固定側支持部１に支持して構成してある。
【００３３】
そして、この第１実施形態では、複数の前記可動枠２のうちの隣接するもの同士を、前記軸心周りで相対回転自在に接続し、前記軸心方向に並ぶ複数の可動枠２のうちの両端側に位置するものを、前記固定側支持部１に対して、前記軸心周りで回転自在に支持してある。
【００３４】
この第１実施形態では、複数の前記可動枠２として、２個の可動枠２を設けてあり、又、各可動枠２には、５個の前記ノズル３を備えてある。
詳細は後述するが、前記一対の固定側支持部１のうちの一方には、このミスト噴出装置に温水を供給するためのミスト用湯水供給路２０を接続する湯水供給管４を設けてあり、以下の説明では、一対の固定側支持部１のうち、前記湯水供給管４を設けたものを上手側の固定側支持部１Ｕと記載し、他方側のものを下手側の固定側支持部１Ｌと記載する場合がある。
又、２個の可動枠２のうち、前記上手側の固定側支持部１Ｕの側のものを上手側の可動枠２Ｕと記載し、前記下手側の固定側支持部１Ｌの側のものを下手側の可動枠２Ｌと記載する場合がある。
【００３５】
図１ないし図３に示すように、各可動枠２は、横断面形状が六角形の筒状であり、その六角筒状の可動枠２における六側面を、後方の後面２ａと、その後面２ａの両端夫々から前方にその後面２ａに略直角に夫々伸びる一対の後方側側面２ｂと、それら一対の後方側側面２ｂ夫々の前端から前方側ほど互いに近づくように夫々延びる一対の前方側側面２ｃと、それら一対の前方側側面２ｃの前端に両端が連なる前面２ｄとから構成してある。
【００３６】
各固定側保持部１は、前記軸心Ｐの軸心方向視にて、前方側の部分が可動枠２に重なり、後方側の部分が可動枠２よりも後方側に突出する形状に構成してある。
【００３７】
図２に示すように、上手側の可動枠２Ｕにおける下手側の可動枠２Ｌに接続する側の端部には、前記軸心方向視にてリング状で且つ径方向外側から内側に凹入する凹入溝を有する凹入状嵌合部２ｅを設け、上手側の固定側支持部１Ｕに接続する側の端部には、前記軸心方向視にてリング状で且つ径方向外側から内側に凹入する凹入溝を有する凹入状嵌合部２ｅを設けてある。
下手側の可動枠２Ｌにおける上手側の可動枠２Ｕに接続する端部には、前記凹入状嵌合部２ｅに嵌合自在な、前記軸心方向視にてリング状で且つ径方向外側から内側に突出する凸部を備えた凸状嵌合部２ｆ設け、下手側の固定側支持部１Ｌに接続する側の端部には、前記軸心方向視にてリング状で且つ径方向外側から内側に凹入する凹入溝を有する凹入状嵌合部２ｅを設けてある。
【００３８】
上手側の固定側保持部１Ｕには、前記上手側の可動枠２Ｕの前記凹入状嵌合部２ｅに嵌合自在な、前記軸心方向視にてリング状で且つ径方向外側から内側に突出する凸部を備えた凸状嵌合部１ａを設け、下手側の固定側保持部１Ｌには、前記下手側の可動枠２Ｌの前記凹入状嵌合部２ｅに嵌合自在な、前記軸心方向視にてリング状で且つ径方向外側から内側に突出する凸部を備えた凸状嵌合部１ａを設けてある。
【００３９】
図２及び図３に示すように、各可動枠２の内部には、その中心において前記軸心方向に延びる状態で、湯水供給管５を設け、その湯水供給管５から５本の分岐管６を分岐させてある。
又、図１にも示すように、各可動枠２の前面２ｄにおける前記軸心方向の中間部分に、ノズル取り付け用の孔を形成し、各可動枠２の各前方側側面２ｃには、２個のノズル取り付け用の孔を、前記前面２ｄのノズル取り付け用の孔に対して前記軸心方向両側に振り分けた状態で形成してある。
【００４０】
そして、図１ないし図３に示すように、前記５本の分岐管６のうち、１本の分岐管６の先端を、可動枠２の前面２ｄに形成したノズル取り付け用の孔に連通する状態でその前面２ｄに接続し、他の２本の分岐管６夫々の先端を、可動枠２の一方の前方側側面２ｃに形成したノズル取り付け用の孔に連通する状態でその前方側側面２ｃに接続し、残りの２本の分岐管６夫々の先端を、可動枠２の他方の前方側側面２ｃに形成したノズル取り付け用の孔に連通する状態でその前方側側面２ｃに接続してある。
【００４１】
つまり、六角筒状の可動枠２の前面２ｄに接続した１本の分岐管６、一方の前方側側面２ｃに接続した２本の分岐管６、及び、他方の前方側側面２ｃに接続した２本の分岐管６は、前記軸心方向視において、その軸心Ｐから放射状に広がる状態となるように設けてある。
そして、各分岐管６の先端に、前記ノズル３を、前面視で中心から３６０°のいずれの方向にも首振り自在な状態で接続してある。
【００４２】
つまり、２個の可動枠２夫々に備えられている複数のノズル３の全てを、ミスト噴出方向の変更のために向き変更調整自在なように構成してある。
又、２個の可動枠２夫々に備える複数のノズル３を、可動枠２の周方向に沿って複数並べるように設け、それらノズル３のミスト噴出方向が、前記軸心Ｐからの放射方向となるように構成してある。
又、２個の可動枠２夫々に備える複数のノズル３を、前記軸心方向に沿って列状に並べてある。
又、２個の可動枠２夫々に備える複数のノズル３を、前記軸心方向に沿う列状で且つ可動枠２の周方向に沿って複数列となるように並べてある。
【００４３】
そして、上手側の可動枠２Ｕの凹入状嵌合部２ｅと下手側の可動枠２Ｌの凸状嵌合部２ｆとを嵌合させることにより、２個の可動枠２Ｕ，２Ｌを前記軸心周りで相対回転自在に接続し、上手側の可動枠２Ｕの凹入状嵌合部２ｅを上手側の固定側支持部１Ｕの凸状嵌合部１ａを嵌合させることにより、上手側の可動枠２Ｕを上手側の固定側支持部１Ｕに前記軸心周りに回転自在に支持し、更に、下手側の可動枠２Ｌの凹入状嵌合部２ｅを下手側の固定側支持部１Ｌの凸状嵌合部１ａに嵌合させることにより、下手側の可動枠２Ｌを下手側の固定側支持部１Ｌに前記軸心周りに回転自在に支持してある。
【００４４】
ちなみに、図示は省略するが、前記各可動枠２は、前後方向に２分割した２つの部分をビスにて接続して一体化するように構成してある。
そして、例えば、上手側の可動枠２Ｕを２分割した状態で、その凹入状嵌合部２ｅを上手側の固定側保持部材１Ｕの凸状嵌合部１ａに嵌合させるように２つの部分を組み合わせた後に、一体化し、並びに、下手側の可動枠２Ｌを２分割した状態で、その下手側の可動枠２Ｌの凸状嵌合部２ｆを上手側の可動枠２Ｕの凹入状嵌合部２ｅに嵌合させ、且つ、その下手側の可動枠２Ｌの凹入状嵌合部２ｅを下手側の固定側保持部１Ｌの凸状嵌合部１ａに嵌合させるように、２つの部分を組み合わせた後に、一体化することにより、一対の固定側保持部１及び２個の可動枠２を上述のように組み付けることになる。
【００４５】
又、図２に示すように、上手側の可動枠２Ｕと上手側の固定側支持部１Ｕとを上述のように軸心周りに回転自在に接続するときには、上手側の可動枠２Ｕの湯水供給管５と上手側の固定側支持部１Ｕの湯水供給管４とを、両側の管を互いに相対回転自在に接続する回転継手７にて連通接続し、又、上手側の可動枠２Ｕと下手側の可動枠２Ｌとを上述のように軸心周りに回転自在に接続するときには、上手側の可動枠２Ｕの湯水供給管５と下手側の可動枠２Ｌの湯水供給管５とを回転継手７にて互いに相対回転自在に連通接続する。
つまり、上手側の固定側支持部１Ｕに備えられた湯水供給管４と、複数の可動枠２夫々に備えられた湯水供給管５とが直列状に一連に連通接続される。
【００４６】
そして、上手側の可動枠２Ｕを把持して回転させて、上手側の固定側支持部１Ｕや下手側の可動枠２Ｌに対して相対回転させると、その上手側の可動枠２Ｕの内部の湯水供給管５も上手側の可動枠２Ｕと一体的に回転して、上手側の固定側支持部１Ｕの湯水供給管４や下手側の可動枠２Ｌの湯水供給管５に対して相対回転することになる。
又、下手側の可動枠２Ｌを把持して回転させて、上手側の可動枠２Ｕや下手側の固定側支持部１Ｌに対して相対回転させると、その下手側の可動枠２Ｌの内部の湯水供給管５も下手側の可動枠２Ｌと一体的に回転して、上手側の可動枠２Ｕの湯水供給管５に対して相対回転することになる。
【００４７】
図２及び図４に示すように、上手側の可動枠２Ｕの湯水供給管５における前記５本の分岐管６の分岐部よりも上手側の箇所に、その湯水供給管５を開閉する電磁弁８（開閉弁に相当する）を設けてある。
又、下手側の可動枠２Ｌの内部には、前記電磁弁８の開閉操作等、ミスト噴出装置Ｍの運転を制御するための制御動作を実行する制御部９と、その制御部９に電力を供給するための電池１０を保持する電池保持部１１とを設け、更に、その下手側の可動枠２Ｌには、ミスト噴出の開始及び停止を指令するための運転スイッチ１２（操作部に相当する）を外部から操作自在に設けてある。
【００４８】
そして、前記制御部９は、運転スイッチ１２からミスト噴出の開始が指令されると、前記電磁弁８を開弁し、運転スイッチ１２からミスト噴出の停止が指令されると電磁弁８を閉弁するように構成してある。
つまり、ミスト噴出を断続する開閉弁としての電磁弁８に対する操作部としての運転スイッチ１２を、複数の可動枠２のうちのいずれかに備えてある。
【００４９】
次に、このミスト噴出装置Ｍを浴室に設置する設置形態について説明を加える。
図５に示すように、ミスト噴出装置Ｍを、例えば、前記上手側の可動枠２Ｕが下側になる状態で２個の可動枠２Ｕ，２Ｌが上下方向に並ぶ形態で、前記一対の固定側保持部１により浴室内の壁面Ｗに取り付ける。
【００５０】
そして、図７に示すように、一般には、入浴者Ｎは洗い場３０に設置したイスＣに座る等の姿勢で浴用ミストを浴びることになるので、ミスト噴出装置Ｍは、その上端を洗い場３０のイスＣに座った入浴者Ｎの頭部の高さ付近に位置させる状態で設置するのが好ましい。
例えば、ミスト噴出装置Ｍの長さを５００〜６００ｍｍとすると、ミスト噴出装置Ｍを、その下端が洗い場３０の床面から６５０〜８００ｍｍの高さに位置する状態に設置するのが好ましい。
【００５１】
図４及び図５に示すように、浴室には、給湯器２１から温水を供給する給湯路２２及び水道等の給水源（図示せず）から水が供給される給水路２３が接続されて、それら給湯路２２からの温水と給水路２３からの水とを混合して混合水路２４に供給する混合水栓２５を設け、混合水路２４の先端には、切換弁２６を介して蛇口２７とシャワーヘッド２８とを接続してある。
そして、前記混合水路２４における前記切換弁２６よりも上流側の部分から、前記ミスト用温水供給路２０を分岐させて、そのミスト用温水供給路２０を前記上手側の固定側保持部２Ｕの湯水供給管４に接続してある。
【００５２】
前記混合水栓２５はサーモスタット式であり、このサーモスタット式の混合水栓２５は公知であるので、詳細な説明を省略して簡単に説明すると、図５に示すように、吐出流量調節用つまみ２５ａと、吐出温度調節用つまみ２５ｂを備えて、吐出流量調節用つまみ２５ａにより、止水と出水の切り換え及び吐出流量の調節が自在であり、吐出温度調節用つまみ２５ｂにより吐出する湯水の温度の調節が自在なように構成されている。
【００５３】
前記給湯器２１は公知であるので、詳細な説明を省略して簡単に説明すると、この給湯器２１は、水道圧により給水され、前記混合水栓２５等の開栓に伴って湯水が通流して、その通流する湯水の量が設定下限量以上になると、バーナが着火して給湯路２２に出湯し、前記混合水栓２５等の閉栓に伴って通流する湯水の量が前記設定下限量未満になるとバーナが消火するように構成されている。
【００５４】
つまり、前記運転スイッチ１２によりミスト噴出の開始を指令すると、制御部９により電磁弁８が開弁されて、その開弁に伴って水道圧により給湯器２１に給水されるので、給湯器２１のバーナが着火されて、給湯路２２を通じて温水が湯水供給管４に供給されることになり、ミスト噴出装置Ｍの複数のノズル３から浴用ミストが噴出される。
ちなみに、浴用ミストの噴出量は前記吐出流量調節用つまみ２５ａにより調節し、噴出ミストの温度は前記吐出温度調節用つまみ２５ｂにより調節することになる。
そして、前記運転スイッチ１２によりミスト噴出の停止を指令すると、制御部９により電磁弁８が閉弁されて、複数のノズル３からの浴用ミストの噴出が停止される。
【００５５】
次に、図６及び図７に基づいて、浴用ミストの噴出形態の一例を説明する。
尚、図６は浴室の平面図を示し、その図６において、２９は平面視で長方形状の浴槽、３０は洗い場、３１は浴室のドアである。又、図６において、一点鎖線を用いて符合２Ｕにて示す範囲は、上手側の可動枠２Ｕによる浴用ミストの噴出範囲であり、破線を用いて符号２Ｌにて示す範囲は、下手側の可動枠２Ｌによる浴用ミストの噴出範囲である。
【００５６】
先ず、入浴前に浴室内を浴用ミストの噴出により予備暖房する場合の浴用ミストの噴出形態について説明する。
ちなみに、浴室内にて浴用ミストを浴びる場合、一般には、図７に示すように、入浴者Ｎは洗い場３０に設置したイスＣに座る等の姿勢で浴用ミストを浴びるので、浴室内を浴用ミストの噴出により予備暖房する場合、洗い場３０の床面を略全面にわたって暖めるように浴用ミストを噴出するのが好ましい。
【００５７】
そこで、例えば、図６の（イ）に示すように、ミスト噴出装置Ｍを、平面視で浴槽２９の長辺方向の一端側の壁面Ｗにおける浴槽２９の縁部近傍に取り付ける場合、洗い場３０における浴槽２９の長辺方向に沿う方向の端部の浴槽２９の縁部近傍から前記浴槽２９の長辺方向に沿う方向に浴用ミストを噴出することになるので、その洗い場３０における浴槽２９の短辺方向に沿う方向の略全幅にわたって浴用ミストを噴出するように、上手側の可動枠２Ｕと下手側の可動枠２Ｌとを回転させることになる。
【００５８】
又、図６の（ロ）に示すように、ミスト噴出装置Ｍを、洗い場３０を隔てた浴槽２９の向かい側の壁面Ｗにおける浴槽２９の長辺方向に沿う方向の略中央に取り付ける場合、洗い場３０における浴槽２９の長辺方向に沿う方向の略中央から浴槽２９の短辺方向に沿う方向に浴用ミストを噴出することになるので、水平方向に略１８０°の範囲に浴用ミストを噴出するように、上手側の可動枠２Ｕと下手側の可動枠２Ｌとを回転させることになる。
【００５９】
つまり、図６の（ロ）に示すように、ミスト噴出装置Ｍを、洗い場３０を隔てた浴槽２９の向かい側の壁面Ｗにおける浴槽２９の長辺方向に沿う方向の略中央に取り付ける場合は、図６の（イ）に示すように、ミスト噴出装置Ｍを、浴槽２９の長辺方向の一端側の壁面Ｗにおける浴槽２９の縁部近傍に取り付ける場合に比べて、水平方向での浴用ミストの噴出範囲を広くする必要があるので、上手側の可動枠２Ｕ及び下手側の可動枠２Ｌを、互いの回転位相を大きくずらすように回転することになる。
【００６０】
図７に示すように、入浴者Ｎが浴用ミストを浴びるときは、上手側の可動枠２Ｕ及び下手側の可動枠２Ｌの前面２ｄを、互いの回転位相を同じ又は略同じにした状態で、入浴者Ｎの正面に向ける。
そして、例えば、上手側の可動枠２Ｕの複数のノズル３にて、浴用ミストを主として入浴者Ｎの下半身に向けて噴出するように、上手側の可動枠２Ｕの複数のノズル３の向きを調節し、下手側の可動枠２Ｌの複数のノズル３にて、浴用ミストを主として入浴者Ｎの上半身に向けて噴出するように、下手側の可動枠２Ｌの複数のノズル３の向きを調整する。
【００６１】
あるいは、顔に当たる浴用ミストの量が多過ぎると不快に感じる人が浴用ミストを浴びるときは、下手側の可動枠２Ｌを、それからの浴用ミストの噴出方向が入浴者Ｎの正面から反れるように回転調整したり、下手側の可動枠２Ｌの複数のノズル３の向きを顔から反らすように調整することにより、顔に当たる浴用ミストの量を少なくすることができる。
【００６２】
〔参考の実施形態〕
以下、図面に基づいて、本発明の参考の実施形態を説明する。
図８及び図９に示すように、この参考の実施形態のミスト噴出装置Ｍは、複数の可動枠２における隣接する可動枠２の間に、追加用の可動枠１３を組み込み自在に構成してある。
ちなみに、この参考の実施形態では、追加用の可動枠１３として、１個の追加用の可動枠１３を組み込む場合について説明する。
【００６３】
追加用の可動枠１３について説明を加えると、図８及び図９に示すように、この追加用の可動枠１３は、可動枠２と同様の六角筒状に構成し、その六角筒状の追加用の可動枠１３における六側面は、可動枠２と同様に、後方の後面１３ａと、その後面１３ａの両端夫々から前方にその後面１３ａに略直角に夫々伸びる一対の後方側側面１３ｂと、それら一対の後方側側面１３ｂ夫々の前端から前方側ほど互いに近づくように夫々延びる一対の前方側側面１３ｃと、それら一対の前方側側面１３ｃの前端に両端が連なる前面１３ｄとから構成してある。
【００６４】
図９に示すように、追加用の可動枠１３の一端には、それに隣接する可動枠２の凹入状嵌合部２ｅに嵌合自在な、前記軸心方向視にてリング状で且つ径方向外側から内側に突出する凸部を備えた凸状嵌合部１３ｆ設け、追加用の可動枠１３の他端には、それに隣接する可動枠２の凸状嵌合部２ｆに嵌合自在な、前記軸心方向視にてリング状で且つ径方向外側から内側に凹入する凹入溝を有する凹入状嵌合部１３ｅを設けてある。
【００６５】
又、図８及び図９に示すように、追加用の可動枠１３の各前方側側面２ｃには、ノズル取り付け用の孔を１個ずつ形成してある。
又、追加用の可動枠１３の内部には、その中心において前記軸心方向に延びる状態で、湯水供給管１４を設け、その湯水供給管１４から２本の分岐管１５を分岐させてある。
そして、前記２本の分岐管１５のうちの一方の分岐管１５の先端を、追加用の可動枠１３の一方の前方側側面１３ｃに形成したノズル取り付け用の孔に連通する状態でその前方側側面１３ｃに接続し、他方の分岐管１５の先端を、追加用の可動枠１３の他方の前方側側面１３ｃに形成したノズル取り付け用の孔に連通する状態でその前方側側面１３ｃに接続してある。
【００６６】
つまり、追加用の可動枠１３の一対の前方側側面１３ｃに夫々接続した２本の分岐管１５は、前記軸心方向視において、その軸心Ｐから放射状に広がる状態となるように設けてある。
そして、各分岐管１５の先端に、前記ノズル３を、前面視で中心から３６０°のいずれの方向にも首振り自在な状態で接続してある。
【００６７】
つまり、追加用の可動枠１３に備えられている複数のノズル３の全てを、ミスト噴出方向の変更のために向き変更調整自在なように構成してある。
又、追加用の可動枠１３に備える複数のノズル３を、周方向に沿って複数並べるように設け、それらノズル３のミスト噴出方向が、前記軸心Ｐからの放射方向となるように構成してある。
【００６８】
そして、追加用の可動枠１３の凸状嵌合部１３ｆを、それに隣接する可動枠２の凹入状嵌合部２ｅに嵌合させ、且つ、追加用の可動枠１３の凹入状嵌合部１３ｅを、それに隣接する可動枠２の凸状嵌合部２ｆに嵌合させることにより、追加用の可動枠１３を、隣接する可動枠２の間に前記軸心周りで相対回転自在に組み込むように構成してある。
【００６９】
ちなみに、図示は省略するが、追加用の可動枠１３は、前後方向に２分割した２つの部分をビスにて接続して一体化するように構成してあり、その追加用の可動枠１３を２分割した状態で、その凸状嵌合部１３ｆ又は凹入状嵌合部１３ｅを可動枠の凹入状嵌合部２ｅ又は凸状嵌合部２ｆに嵌合させるように２つの部分を組み合わせた後に、一体化することになる。
【００７０】
又、追加用の可動枠１３を、上述のように、隣接する可動枠２の間に前記軸心周りで相対回転自在に組み込むときには、追加用の可動枠１３の湯水供給管１４と可動枠２の湯水供給管５とを回転継手７にて互いに相対回転自在に連通接続することになる。
【００７１】
つまり、追加用の可動枠１３を把持して回転させて、その両側に隣接する可動枠２に対して相対回転させると、その追加用の可動枠１３の内部の湯水供給管１４も追加用の可動枠１３と一体的に回転して、両側に隣接する可動枠２の内部の湯水供給管５に対して相対回転することになる。
【００７２】
〔第２実施形態〕
以下、図面に基づいて、本発明の第２実施形態を説明する。
この第２実施形態は、ミスト噴出装置Ｍの設置形態を上記の第１実施形態と異ならせた実施形態であり、ミスト噴出装置Ｍの構成は上記の第１実施形態と同様であるので、主として、ミスト噴出装置Ｍの設置形態について説明する。
【００７３】
図１０に示すように、この第２実施形態では、ミスト噴出装置Ｍを、前記上手側の可動枠２Ｕが左側になる状態で２個の可動枠２Ｕ，２Ｌが水平方向に並ぶ形態で、前記一対の固定側保持部１により浴室内の壁面Ｗに取り付ける。
【００７４】
上述のようにミスト噴出装置Ｍを設置する場合、ミスト噴出装置Ｍを設置した状態で上側に位置する可動枠２の前方側側面２ｃに接続した分岐管６には、ノズル３を取り付けずに、その分岐管６の先端開口部を、蓋体１６にて、可動枠２に形成したノズル取り付け用の孔と共に閉塞する。
【００７５】
次に、この第２実施形態のミスト噴出装置Ｍを浴室に設置する設置形態について、説明を加える。
図１１に示すように、この第３実施形態では、入浴者Ｎが洗い場３０に設置したイスＣに座った状態でも、あるいは、立った状態でも、浴用ミストを入浴者Ｎの上方から入浴者Ｎに向けて落下させるように噴出することができるように、ミスト噴出装置Ｍを、２個の可動枠２Ｕ，２Ｌが水平方向に並ぶ形態で、浴室の壁面Ｗにおける天井の下方近傍に取り付ける。
【００７６】
図１１に基づいて、浴用ミストの噴出形態の一例を説明する。
上手側の可動枠２Ｕの複数のノズル３及び下手側の可動枠２Ｌの複数のノズル３にて、入浴者Ｎの正面に向けて浴用ミストを噴出するように、上手側の可動枠２Ｕの複数のノズル３及び下手側の可動枠２Ｌの複数のノズル３夫々の向きを入浴者Ｎの正面に向ける。
そして、上手側の可動枠２Ｕ及び下手側の可動枠２Ｌのいずれか一方、例えば上手側の可動枠２Ｕの複数のノズル３から浴用ミストを主として入浴者Ｎの顔に向けて噴出するように、上手側の可動枠２Ｕを回転させてそのミスト噴出方向を調節し、上手側の可動枠２Ｕ及び下手側の可動枠２Ｌの他方、例えば下手側の可動枠２Ｌの複数のノズル３から浴用ミストを主として入浴者Ｎの胸から下の部分に向けて噴出するように、下手側の可動枠２Ｌを回転させてそのミスト噴出方向を調節することになる。
【００７７】
又、図示は省略するが、入浴前に浴室内を予備暖房するときは、例えば、上手側の可動枠２Ｕにて、浴用ミストを洗い場３０の床面におけるミスト噴出装置Ｍに対して近い側の部分に向けて噴出し、下手側の可動枠２Ｌにて、浴用ミストを洗い場３０の床面におけるミスト噴出装置Ｍに対して遠い側の部分に向けて噴出するように、上手側の可動枠２Ｕ及び下手側の可動枠２Ｌ夫々を回転させて夫々のミスト噴出方向を調節することになる。
【００７８】
つまり、上述のようにミスト噴出装置Ｍを設置して浴用ミストを浴びる場合、浴用ミストを上向きに噴出する必要がないので、ミスト噴出装置Ｍを設置した状態で上側に位置する可動枠２の前方側側面２ｃに支持した分岐管６には、ノズル３を取り付けないのである。
【００７９】
〔別実施形態〕
次に別実施形態を説明する。
（イ）  複数の可動枠２を、同一の軸心の長手方向に沿って並び且つその軸心周りで各別に回転調整自在に設けるに当たって、可動枠２の設置数は上記の実施形態における２個に限定されるものではなく、３個以上でも良い。
【００８０】
（ロ）  ノズル３をミスト噴出方向の変更のために向き変更調整自在に可動枠２に設ける場合、上記の実施形態のように、複数の可動枠２の全てについて、夫々の可動枠２に備える複数のノズル３全てを向き変更調整自在に設ける場合に限定されるものではない。
例えば、複数の可動枠２のうちの一部の可動枠２に備えるノズル３を、向き変更調整自在に設け、残りの可動枠２に備えるノズルの全てを向き固定に設けても良い。その場合、一部の可動枠２に備える複数のノズル３の全てを向き変更調整自在に設けても良いし、複数のノズル３のうちの一部のノズル３を向き変更調整自在に設けても良い。
【００８１】
（ハ）  上記の実施形態では、複数の可動枠２のうちの少なくとも一つの可動枠２に備えられている複数のノズル３のうちの少なくとも一部が、ミスト噴出方向の変更のために向き変更調整自在に構成する場合について例示したが、複数の可動枠２全てについて、夫々の可動枠２に備える複数のノズル３全てを向き固定に構成しても良い。
【００８２】
（ニ）  複数の可動枠２の夫々に複数のノズル３を設けるに当たって、ノズル３の設置数は上記の実施形態において例示した５個に限定されるものではない。
又、上記の実施形態においては、複数の可動枠２に、互いに同数のノズル３を設ける場合について例示したが、複数の可動枠２に、個数を異ならせてノズル３を設けても良い。
例えば、上記の第１実施形態のように、複数の可動枠３を上下方向に並ぶ形態で設置する場合、下側の可動枠２に備えるノズル数を、上側の可動枠２に備えるノズル数よりも多くしても良い。
つまり、複数の可動枠３を上下方向に並ぶ形態で設置する場合、顔に当たる浴用ミストの量が多過ぎると、不快に感じる虞があるので、下側の可動枠２に備えるノズル数を、上側の可動枠２に備えるノズル数よりも多くして、顔に当たる浴用ミスト量を少なくするのが好ましい。
【００８３】
（ホ）  可動枠３に複数のノズル３を設置する形態は、上記の実施形態のように、可動枠３の回転軸心Ｐの軸心方向に沿う列状で且つ可動枠３の周方向に沿って複数列となるように並べる形態に限定されるものではない。
例えば、可動枠３の回転軸心Ｐの軸心方向に沿って１列状に並べても良いし、あるいは、可動枠３の周方向に沿って１列状に並べても良い。
【００８４】
（ヘ）  追加用の可動枠１３を複数の可動枠２における隣接する可動枠２の間に組み込む場合、追加用の可動枠１３の組み込み数は２個以上でも良い。
又、３個以上の可動枠２を、同一の軸心Ｐの長手方向に沿って並び且つその軸心周りで各別に回転調整自在に設ける場合、隣接する可動枠２の間の夫々に、追加用の可動枠１３の組み込むように構成しても良い。
【００８５】
（ト）  可動枠２の形状は、上記の実施形態において例示した六角筒状に限定されるものではなく、例えば、円筒状や、横断面形状が半円の半円筒状でも良い。
但し、複数のノズル３を、それらノズル３のミスト噴出方向が可動枠の回転軸心Ｐからの放射方向となるように周方向に沿って並べることにより、浴用ミストの噴出範囲を広くする場合は、可動枠２を、上記の実施形態の如き六角筒状や、円筒状又は半円筒状のように、前方側の面が膨出する形状にするのが好ましい。
【００８７】
（チ）  ミスト噴出装置Ｍの設置形態は、上記の第１及び第２の各実施形態において例示した形態に限定されるものではない。
例えば、図１２に示すように、前記下手側の可動枠２Ｌが左側になる状態で２個の可動枠２Ｕ，２Ｌが水平方向に並ぶ形態で設置しても良い。この場合は、上記の第２実施形態と同様に、ミスト噴出装置Ｍを設置した状態で上側に位置する可動枠２の前方側側面２ｃに接続した分岐管６には、ノズル３を取り付けずに、その分岐管６の先端開口部を蓋体１６にて閉塞する。
【００８８】
（リ）  複数の可動枠２の夫々に、その可動枠２を駆動回転させるアクチュエータを設けて、遠隔操作により複数の可動枠２を各別に回転調整自在なように構成すると、ミスト噴出方向やミスト噴出範囲の変更調整を遠隔操作により行うことができるようになるので、それらミスト噴出方向やミスト噴出範囲の変更調整をより一層簡単に行うことができる。
【符号の説明】
【００８９】
１    固定側支持部
２    可動枠
３    ノズル
４    湯水供給管
５    湯水供給管
８    開閉弁
１２  操作部
１３  追加用の可動枠
【図１】
0005369146.tif 000002
【図２】
0005369146.tif 000003
【図３】
0005369146.tif 000004
【図４】
0005369146.tif 000005
【図５】
0005369146.tif 000006
【図６】
0005369146.tif 000007
【図７】
0005369146.tif 000008
【図８】
0005369146.tif 000009
【図９】
0005369146.tif 000010
【図１０】
0005369146.tif 000011
【図１１】
0005369146.tif 000012
【図１２】
0005369146.tif 000013